(57)【要約】【課題】ブラインドの停止及び昇降の各動作を短い手順で切換える。【解決手段】操作者が昇降コード１３を操作してブラインド１０を挟持位置又は許容位置に切換えることにより、ブラインド１０を停止させるか或いは昇降させるように構成される。操作者による昇降コード１３の操作時に、聴覚又は触覚による感覚的な意識を操作者に促して挟持位置又は許容位置の切換えを認知可能に構成される。【選択図】図５
2010116724.tif 000002
【特許請求の範囲】
【請求項１】
操作者が昇降コード(13)を操作してブラインド(10)を挟持位置又は許容位置に切換えることにより、前記ブラインド(10)を停止させるか或いは昇降させるように構成されたブラインドのストッパ装置において、
前記操作者による前記昇降コード(13)の操作時に、聴覚又は触覚による感覚的な意識を前記操作者に促して前記挟持位置又は許容位置の切換えを認知可能に構成されたことを特徴とするブラインドのストッパ装置。
【請求項２】
操作者が昇降コード(13)を操作してブラインド(10)を挟持位置又は許容位置に切換えることにより、前記ブラインド(10)を停止させるか或いは昇降させるように構成され、ヘッドレール(12)に設けられたケース(22)内のスライダ(24)が前記挟持位置で係合子(34)を係止する挟持部(32a)と前記スライダ(24)が前記許容位置で前記係合子(34)を係止する許容部(32b)とを有する案内カム溝(32)を備えたブラインドのストッパ装置において、
前記案内カム溝(32)は、
挟持位置のスライダ(24)が許容位置に移動するとき前記挟持部(32a)の前記係合子(34)を前記許容部(32b)に移動させる第１溝(32c)と、
許容位置のスライダ(24)が挟持位置に移動するとき前記許容部(32b)の前記係合子(34)を前記挟持部(32a)に移動させる第２溝(32d)と、
前記第１溝(32c)と前記第２溝(32d)の間に形成され挟持位置から許容位置に向かうスライダ(24)が許容位置の手前で挟持位置に戻ろうとするとき前記第１溝(32c)を移動する前記係合子(34)を係止して前記第１溝(32c)を介して前記係合子(34)が前記挟持部(32a)に戻ることを防止する中間係止部(32e)と、
前記中間係止部(32e)に対向するように前記第１溝(32c)に形成され前記係合子(34)の前記中間係止部(32e)に対向する位置から前記許容部(32b)までの移動抵抗を増大させる抵抗増大部(38)と
を有することを特徴とするブラインドのストッパ装置。
【請求項３】
抵抗増大部(38)は、係合子(34)が通過可能な幅を有する狭路部(38a)と、前記狭路部(38a)の挟持部(32a)側端部に形成され前記挟持部(38a)から許容部(32b)に向かって狭くなって前記狭路部(38a)に連通する導入部(38b)とを有する請求項２記載のブラインドのストッパ装置。
【発明の詳細な説明】
【技術分野】
【０００１】
本発明は、ブラインドの昇降コードの挟持及び解放を切換えることによって、ブラインドの停止及び昇降の各動作を順次に行わせるブラインドのストッパ装置に関するものである。
【背景技術】
【０００２】
従来、この種のブラインドのストッパ装置として、昇降コードが挿通するストッパケースと、ストッパケース内を昇降コードの移動方向に移動可能となった移動枠と、移動枠に軸支される挟持ローラと、前記昇降コードの移動方向と直交する方向に相対移動可能に移動枠に支持される切換部材と、ストッパケースに固定される挟持部材とから構成されたもの（例えば、特許文献１参照。）が提案されている。ストッパケースには、挟持ローラと噛合可能なローレット部と、挟持ローラを空転可能な切欠部が形成される。挟持ローラがローレット部に噛み合った状態で、昇降コードが移動すると、挟持ローラが回転し且つ昇降コードからの摩擦を受けて、ローレット部に案内されて挟持ローラが移動して、移動枠が移動することができるようになっている。一方、切換部材には案内カム溝が形成されており、案内カム溝にはストッパケースにはめ合わされる係合子が挿入される。そして、係合子が案内カム溝に形成された四つの係止部に係止すると、移動枠の移動を規制し、移動枠が昇降コードと一緒に移動できなくなるようになっている。
【０００３】
即ち、従来の案内カム溝には、図７に示すように、第１〜第４係止部１〜４が形成される。そして、ブラインド停止時は係合子６が第１係合部１に位置し、その状態で挟持ローラと挟持部材との間で昇降コードを挟み付けて、昇降コードの移動を拘束している。一方、ブラインドの上昇方向に昇降コードを移動させると、昇降コードからの摩擦を受けて、移動枠が移動する。これに伴って、係合子６が第１係合部１から案内カム溝を相対移動して第２係止部２に移動する。この第２係止部２に係合子６が係止されると移動枠の移動が規制されて、昇降コードのみが移動して、ブラインドの上昇ができる。次いで、ブラインドの下降方向に昇降コードを移動させると、昇降コードと共に移動枠が移動し、係合子６が第２係止部２から脱出して案内カム溝を相対移動して第３係止部３に到達する。この第３係止部３に係合子６が係止されると移動枠の移動が規制されて、昇降コードのみが移動して、ブラインドの下降ができる。更に、ブラインドの上昇方向に昇降コードを移動させると、昇降コードと共に移動枠が移動し、係合子６が第３係止部３から脱出して案内カム溝を相対移動して、案内カム溝に形成された更に別の第４係止部４に到達する。この第４係止部４に係合子が係止されると移動枠の移動が規制されて、昇降コードのみが移動して、ブラインドの上昇ができる。次いで、更に、ブラインドの下降方向に昇降コードを移動させると、昇降コードと共に移動枠が移動し、係合子が第４係止部４から脱出して案内カム溝を相対移動して、停止時の第１係止部１に戻り、挟持ローラと挟持部材との間で昇降コードを挟み付けて、昇降コードの移動を拘束するようになっている。
【特許文献１】特開平７−７６９８０号公報（明細書［０００４］、［０００５］、図２）
【発明の開示】
【発明が解決しようとする課題】
【０００４】
しかし、上記従来のブラインドのストッパ装置では、案内カム溝と、その案内カム溝に嵌め合わされる係合子との関係によって、停止→上昇→下降→上昇→停止といった動作手順が一義的に決められる。従って、停止から上昇させた後、停止、上昇を繰り返す動作を行わせたい場合にも、上記手順に従って行わなければならない。このため、例えば、通常のブラインドで最下限高さから最上限高さまで上昇させる場合、昇降コードを１回引いただけでは、最上限高さまで上昇させることはできないので、途中で一度、停止させる必要が生じる。したがって、このような場合に、上記従来の動作手順に従う操作は煩わしいという未だ解決すべき課題が残存していた。
【０００５】
本発明の目的は、ブラインドの停止及び昇降の各動作を短い手順で切換えることができるブラインドのストッパ装置を提供することにある。
【課題を解決するための手段】
【０００６】
請求項１に係る発明は、図１、図２及び図５に示すように、操作者が昇降コード１３を操作してブラインド１０を挟持位置又は許容位置に切換えることにより、ブラインド１０を停止させるか或いは昇降させるように構成されたブラインドのストッパ装置の改良である。その特徴ある構成は、操作者による昇降コード１３の操作時に、聴覚又は触覚による感覚的な意識を操作者に促して挟持位置又は許容位置の切換えを認知可能に構成されたところにある。この請求項１に記載されたブラインドのストッパ装置では、操作者が昇降コード１３を引下げ続けることにより、ブラインド１０の上昇、停止、上昇、停止を繰り返すことができる。一方、操作者が昇降コード１３を引下げている途中で、昇降コード１３の引下げ抵抗の増大を聴覚又は触覚で感知したときに、昇降コード１３を引下げる力を解除すると、スクリーン１１を下降させることができる。
【０００７】
請求項２に係る発明は、図１、図２及び図５に示すように、操作者が昇降コード１３を操作してブラインド１０を挟持位置又は許容位置に切換えることにより、ブラインド１０を停止させるか或いは昇降させるように構成され、ヘッドレール１２に設けられたケース２２内のスライダ２４が挟持位置で係合子３４を係止する挟持部３２ａとスライダ２４が許容位置で係合子３４を係止する許容部３２ｂとを有する案内カム溝３２を備えたブラインドのストッパ装置の改良である。その特徴ある構成は、案内カム溝３２が、挟持位置のスライダ２４が許容位置に移動するとき挟持部３２ａの係合子３４を許容部３２ｂに移動させる第１溝３２ｃと、許容位置のスライダ２４が挟持位置に移動するとき許容部３２ｂの係合子３４を挟持部３２ａに移動させる第２溝３２ｄと、第１溝３２ｃと第２溝３２ｄの間に形成され挟持位置から許容位置に向かうスライダ２４が許容位置の手前で挟持位置に戻ろうとするとき第１溝３２ｃを移動する係合子３４を係止して第１溝３２ｃを介して係合子３４が挟持部３２ａに戻ることを防止する中間係止部３２ｅと、中間係止部３２ｅに対向するように第１溝３２ｃに形成され係合子３４の中間係止部３２ｅに対向する位置から許容部３２ｂまでの移動抵抗を増大させる抵抗増大部３８とを有するところにある。
【０００８】
この請求項２に記載されたブラインドのストッパ装置では、昇降コード１３の他端を引下げ続けることにより、係合子３４は抵抗増大部３８を通過して許容部３２ｂにまで移動する。このような引下げ操作により、係合子３４は、図１中、実線の経路で相対的に案内カム溝３２の挟持部３２ａと許容部３２ｂを往復移動し、ブラインドの上昇、停止、上昇、停止を繰り返すことができる。一方、係合子３４が抵抗増大部３８に達して昇降コード１３の他端の引下げ抵抗が増大したことを感知したときに、昇降コード１３の他端を引下げる力を解除すると、係合子３４はその抵抗増大部３８から中間係止部３２ｅに移動し、第１溝３２ｃを介して係合子３４が挟持部３２ａに戻ることが禁止される。これにより、スクリーン１１を下降させることができる。
【０００９】
請求項３に係る発明は、請求項２に係る発明であって、抵抗増大部３８が、係合子３４が通過可能な幅を有する狭路部３８ａと、狭路部３８ａの挟持部３２ａ側端部に形成され挟持部３８ａから許容部３２ｂに向かって狭くなって狭路部３８ａに連通する導入部３８ｂとを有することを特徴とする。
【発明の効果】
【００１０】
請求項１に係る発明では、操作者が昇降コードを引下げ続けることにより、ブラインドの上昇、停止、上昇、停止を繰り返すことができ、操作者が昇降コードを引下げている途中で、昇降コードの引下げ抵抗の増大を聴覚又は触覚で感知したときに、昇降コードを引下げる力を解除すると、スクリーンを下降させることができる。このようにブラインドの停止及び昇降の各動作を短い手順で切換えることができる。
【００１１】
請求項２に係る発明では、係合子を係止して係合子が挟持部に戻ることを防止する中間係止部と、その中間係止部に対向する位置から許容部までの移動抵抗を増大させる抵抗増大部とを有するので、昇降コードの他端を引下げ続けることにより、係合子は案内カム溝の挟持部と許容部を往復移動し、ブラインドの上昇、停止、上昇、停止を繰り返すことができる。一方、係合子が抵抗増大部に達して昇降コードの他端の引下げ抵抗が増大したことを感知したときに、昇降コードの他端を引下げる力を解除すると、係合子はその抵抗増大部から中間係止部に移動し、係合子が挟持部に戻ることが禁止される。これにより、ブラインドを下降させることができる。このようにブラインドの停止及び昇降の各動作を短い手順で切換えることができる。
【発明を実施するための最良の形態】
【００１２】
次に本発明を実施するための最良の形態を図面に基づいて説明する。図５及び図６に示すように、ローマンシェード１０は、図示しない固定用ブラケットを介して部屋の壁面や天井に取付けられたヘッドレール１２と、このヘッドレール１２に上端が取付けられヘッドレール１２の長さと略同一の幅を有するスクリーン１１と、ヘッドレール１２から昇降可能に垂下されてその下端がスクリーン１１の下部に連結された昇降コード１３とを備える。
【００１３】
ヘッドレール１２はアルミニウム合金等の金属の押出し成形又は引抜き成形により作られたレール本体１２ａと、レール本体１２ａの両端部に設けられた蓋体１２ｂを備える。ヘッドレール１２の内部空間には、複数（図５の例では３個）のコード挿通部材１４がヘッドレール１２の長手方向の任意の位置に収容される。また、ヘッドレール１２の内部空間には、コード挿通部材１４の数に相応する本数の昇降コード１３が挿通され、これらの昇降コード１３の一端部は、対応する所定のコード挿通部材１４からスクリーン１１の背面に添って垂下される。スクリーン１１には上下方向に所定の間隔をあけて複数本の横桿１６が取付けられ、ヘッドレール１２から垂下された昇降コード１３が横桿１６と交差するスクリーン１１の背面にはコードリング１７が取付けられる。このため、スクリーン１１の背面にはコードリング１７が鉛直方向に所定の間隔をあけて取付けられる。また、スクリーン１１の下縁にはウエイトバー１８が取付けられる。
【００１４】
ヘッドレール１２の内部空間に挿通された複数の昇降コード１３の他端部は、ヘッドレール１２の内部空間を一方（図では左方向）に導かれて、ヘッドレール１２の端部に設けられた停止手段であるストッパ装置２０に挿通された後、ヘッドレール１２の端部から垂下されて操作つまみ１９に連結される。ストッパ装置２０は、操作つまみ１９が設けられた側の昇降コード１３の上昇をそれぞれ禁止又は許容するように構成される。そして、ストッパ装置２０は、操作つまみ１９が設けられた側の昇降コード１３を下降させた後に上昇させるとその昇降コード１３の上昇を禁止し、上昇が禁止された操作つまみ１９が設けられた側の昇降コード１３を一旦下降させると再びその昇降コード１３の上昇を許容するように構成される。ここで、図５及び図６における符号１９ａは操作つまみ１９をスクリーン１１の下端に連結する連結紐である。
【００１５】
ヘッドレール１２に内蔵されて対応する所定のコード挿通部材１４から垂下された昇降コード１３の一端側は、スクリーン１１の背面に鉛直方向に所定の間隔をあけて取付けられた複数のコードリング１７に挿通されて鉛直下方に配索された後、スクリーン１１の下端に取付けられた最下端のコードリング１７に、コード係止部材２１を介して連結される。このように構成されたローマンシェード１０では、操作つまみ１９が設けられた側の昇降コード１３を上昇させると、図５に示すようにヘッドレール１２のコード挿通部材１４から垂下されてスクリーン１１に連結された側の昇降コード１３が下降し、逆に操作つまみ１９が設けられた側の昇降コード１３を下降させると、図６に示すようにスクリーン１１に連結された側の昇降コード１３が上昇してスクリーン１１をたくし上げることができるように構成される。なお、本発明のストッパ装置２０は、このようなローマンシェードに限らず、横型ブラインド、プリーツスクリーン等の任意のブラインドに適用することもできる。
【００１６】
図２〜図５に示すように、ストッパ装置２０は、操作者が昇降コード１３を操作してブラインド１０を挟持位置又は許容位置に切換えることにより、ブラインド１０を停止させるか或いは昇降させるように構成され、ヘッドレール１２に設けられたケース２６内のスライダ２４が挟持位置で係合子３４を係止する挟持部３２ａとスライダ２４が許容位置で係合子３４を係止する許容部３２ｂとを有する案内カム溝３２を備える。具体的には、ストッパ装置２０は、ヘッドレール１２内に配索された複数本の昇降コード１３が挿通されるケース２６と、ケース２６に昇降コード１３とともに所定の距離だけ移動可能に設けられたスライダ２４と、ケース２６とスライダ２４との間に設けられ挟持位置で昇降コード１３を挟持し許容位置で昇降コード１３の移動を許容するコード挟持制御手段２９と、ケース２６に形成された案内カム溝３２と、スライダ２４に形成された凹溝２４ｇと、案内カム溝３２と凹溝２４ｇとの間に収容されこれらの溝３２，２４ｇ内を移動する球状の係合子３４とを備える。
【００１７】
ケース２６は、ケース本体２７と蓋２８とを有する。ケース本体２７は上面と両端と両側上部とが開口した略直方体の箱状に形成される。蓋２８は、ケース本体２７の開口する上面を閉止する蓋本体２８ａと、蓋本体２８ａの両側に垂下されケース本体２７の両側上部を閉止する一対の蓋用側片２８ｂとからなる。蓋２８は第１ピン２６ａ及び第２ピン２６ｂによりケース本体２７に固定される（図２〜図４）。スライダ２４は略門型に形成され、スライダ用上片２４ａと、このスライダ用上片２４ａの両側に垂下された一対のスライダ用側片２４ｂ，２４ｂとを有する。蓋用側片２８ｂには、蓋２８の長手方向に延びる一対のガイド用孔２８ｃがそれぞれ形成され、スライダ用上片２４ａの両端には一対のガイド用孔２８ｃに摺動可能にそれぞれ挿入される一対のガイド用突起２４ｃ，２４ｃが設けられる。これによりスライダ２４はケース本体２７内を所定の距離だけ昇降コード１３の移動方向に移動可能（往復動可能）に構成される。
【００１８】
コード挟持制御手段２９は、スライダ２４の昇降コード移動方向の一端側に回転可能かつ上下動可能に取付けられ外周面に昇降コード１３が食い込み可能な歯が形成された歯付きローラ２９ａ（挟持部材）と、蓋２８の昇降コード移動方向の一端側の下面に形成され昇降コード１３が食い込み可能なアッパ歯部２９ｂ（受け部）と、ケース本体２７にアッパ歯部２９ａに対向して形成され昇降コード移動方向の一端側に向うに従って徐々に登る階段状に形成され歯付きローラ２９ａの歯に噛合可能なロア歯部２９ｃ（案内部）とを有する。一対のスライダ用側片２４ｂ，２４ｂには鉛直方向に延びる一対の縦孔２４ｄがそれぞれ形成され、これらの縦孔２４ｄに歯付きローラ２９ａの一対の軸部２９ｄ，２９ｄを挿入することにより、歯付きローラ２９ａが回転可能かつ上下動可能に構成される。なお、図２及び図３の符号２４ｅは昇降コード移動方向の中央で上方に向って突出するように一対のスライダ用側片２４ｂ，２４ｂ間に掛け渡されたロア突起であり、符号２４ｆは昇降コード移動方向の他端側でスライダ用上片２４ａの下面から下方に向かって突設されたアッパ突起である。これらの突起２４ｅ，２４ｆにより昇降コード１３が互い違いに挟まれてスライダ２４が昇降コード１３とともに所定の距離だけ移動するように構成される。また上記突起２４ｅ，２４ｆは、ケース２６内に挿通された複数本の昇降コード１３が互いに絡み合うのを阻止する機能も有する。また図２〜図４の符号３１はケース本体２７の昇降コード移動方向の他端側に回転可能に取付けられた受けローラであり、この受けローラ３１は昇降コード１３を受けてケース２７内に案内するように構成される。
【００１９】
スクリーン１１とともにウエイトバー１８を下降させる方向、具体的には、図３に示すように、昇降コード１３の一端側を引下げる方向にスライダ２４が移動してケース２６内の一端部（図３における右端部）に接近している状態においては、歯付きローラ２９ａがロア歯部２９ｃによってアッパ歯部２９ｂの方へと押圧されており、挟持部材である歯付きローラ２９ａと受け部であるアッパ歯部２９ｂとにより昇降コード１３が挟持されて、昇降コード１３の移動は拘束される。このように、スライダ２４の挟持位置（図３）では、歯付きローラ２９ａとアッパ歯部２９ｂとにより昇降コード１３が挟持され、ローマンシェード１０のスクリーン１１はその高さで停止するように構成される。一方、スクリーン１１とともにウエイトバー１８を上昇させる方向、即ち昇降コード１３を引上げる方向にスライダ２４が移動すると、スライダ２４は図３に示す位置から図２に示す位置に移動する。具体的には、昇降コード１３の一端側を引上げる方向にスライダ２４が移動して、このスライダ２４がケース２６内の中央部に位置する。このスライダ２４の許容位置（図２）では、挟持部材である歯付きローラ２９ａが受け部であるアッパ歯部２９ｂから離間して昇降コード１３の移動が許容されるように構成される。
【００２０】
一方、上記凹溝２４ｇはスライダ用上片２４ａの上面に形成され、この凹溝２４ｇに係合子３４の略下半分が収容される。また凹溝２４ｇは昇降コード移動方向に直交する方向に延びて形成される。上記案内カム溝３２は蓋２８の下面に形成され、この案内カム溝３２に係合子３４の略上半分が収容される。また案内カム溝３２は、図１に示すように、スライダ２４が昇降コード１３を挟持する挟持位置（図３に示すスライダ２４の位置）で係合子３４を係止する挟持部３２ａと、スライダ２４が昇降コード１３の移動を許容する許容位置（図２に示すスライダ２４の位置）で係合子３４を係止する許容部３２ｂとを有する。そして、案内カム溝３２は、挟持位置のスライダ２４が許容位置に移動するとき挟持部３２ａの係合子３４を許容部３２ｂに移動させる第１溝３２ｃと、許容位置のスライダ２４が挟持位置に移動するとき許容部３２ｂの係合子３４を挟持部３２ａに移動させる第２溝３２ｄとを有する。また、第１溝３２ｃと第２溝３２ｄの間には、挟持位置から許容位置に向かうスライダ２４が許容位置の手前で挟持位置に戻ろうとするとき第１溝３２ｃを移動する係合子３４を係止して第１溝３２ｃを介して係合子３４が挟持部３２ａに戻ることを防止する中間係止部３２ｅが形成される。そして、その中間係止部３２ｅに対向する第１溝３２ｃには、係合子３４の中間係止部３２ｅに対向する位置から許容部３２ｂまでの移動抵抗を増大させる抵抗増大部３８が形成される。
【００２１】
この実施の形態における抵抗増大部３８は、係合子３４が通過可能な幅を有する狭路部３８ａと、その狭路部３８ａの挟持部３２ａ側端部に形成され挟持部３２ａから許容部３２ｂに向かって狭くなって狭路部３８ａに連通する導入部３８ｂとを有するものを例示する。これにより係合子３４はその狭路部３８ａを構成する両壁に接触しつつその狭路部３８ａを通過することになり、係合子３４がその狭路部３８ａを通過する移動抵抗を増大させることができる。
【００２２】
次に、このように構成された本発明のストッパ装置２０の作用を説明する。図３に示すように、スライダ２４がケース２６内の一端部（図３における右端部）に接近している状態においては、歯付きローラ２９ａがロア歯部２９ｃによってアッパ歯部２９ｂの方へと押圧されており、歯付きローラ２９ａとアッパ歯部２９ｂとにより昇降コード１３が挟持されて、昇降コード１３の移動は拘束される。従って、ローマンシェードのスクリーン１１はその高さで停止している。このように、スライダ２４が挟持位置では、図１に示すように、係合子３４は、案内カム溝３２の挟持部３２ａに係止される。
【００２３】
図３の状態から、ローマンシェードのスクリーン１１を上昇させる場合には、操作部である昇降コード１３の他端を引下げる。これにより、図３中、昇降コード１３は左側へと移動する。昇降コード１３の移動に追随して、スライダ２４が移動する。これに伴って、相対的に係合子３４は、挟持部３２ａを出発して第１溝３２ｃを移動し、許容部３２ｂに向う。このとき、係合子３４は第１溝３２ｃに形成された抵抗増大部３８に達し、係合子３４の中間係止部３２ｅに対向する位置から許容部３２ｂまでの移動抵抗が増大する。このため、係合子３４は第１溝３２ｃに形成された抵抗増大部３８に達した段階から、昇降コード１３の他端を引下げる抵抗も増大することになる。けれども、昇降コード１３の他端を引下げ続けることにより、係合子３４はその抵抗増大部３８を通過して許容部３２ｂにまで移動する。
【００２４】
係合子３４が許容部３２ｂへと到達すると、それ以上のスライダ２４のケース２６に対する移動は規制されて、図２に示す状態となる。この状態では、歯付きローラ２９ａがアッパ歯部２９ｂから離間するため、もはや歯付きローラ２９ａとアッパ歯部２９ｂとにより昇降コード１３は挟持されておらず、昇降コード１３が解放される。そこで、昇降コード１３の他端を引下げる操作の継続が可能となり、その操作を継続することにより、昇降コード１３はロア突起２４ｅとアッパ突起２４ｆとの間を通り抜けて、昇降コード１３の一端が上昇させられて、スクリーン１１は上昇する。
【００２５】
次に、昇降コード１３の他端の引下げ力を解除すると、スクリーン１１及びウエイトバー１８の自重によって、昇降コード１３は図２中、右側へと移動する。このため、昇降コード１３を互い違いに挟むロア突起２４ｅ及びアッパ突起２４ｆによって、昇降コード１３とともにスライダ２４が移動する。これに伴って、図１に示すように、相対的に係合子３４が許容部３２ｂを出発し、第２溝３２ｄを介して再び挟持部３２ａへと向い、スライダ２４は、昇降コード１３とともに右端へと移動する。これにより、図３に示すように、歯付きローラ２９ａがロア歯部２９ｃによって右端へと向うに従いアッパ歯部２９ｂに接近するように上昇し、歯付きローラ２９ａとアッパ歯部２９ｂとにより昇降コード１３が挟持される。このため、昇降コード１３の移動は拘束され、スクリーン１１は停止することになる。以上の動作、即ち、昇降コード１３の他端における操作部を引下げる操作により、係合子３４は、図１中、実線の経路で相対的に案内カム溝３２の挟持部３２ａと許容部３２ｂを往復移動し、スクリーン１１の上昇、停止、上昇、停止を繰り返すことができる。
【００２６】
次に、ローマンシェードのスクリーン１１の下降をさせる場合について説明する。図３の状態から、操作部である昇降コード１３の他端を引下げる。これにより、図３中、昇降コード１３は左側へと移動し、昇降コード１３の移動に追随して、スライダ２４が移動する。これに伴って、相対的に係合子３４が挟持部３２ａを出発して第１溝３２ｃを移動し、許容部３２ｂに向う。そして、係合子３４が第１溝３２ｃに形成された抵抗増大部３８に達した状態では、図２に示すように、歯付きローラ２９ａがアッパ歯部２９ｂから離間して、昇降コード１３が解放された状態となる。また、その係合子３４が抵抗増大部３８に達すると、係合子３４の中間係止部３２ｅに対向する位置から許容部３２ｂまでの移動抵抗が増大する。このため、係合子３４が抵抗増大部３８に達した段階から、昇降コード１３の他端を引下げる抵抗が増大する。
【００２７】
昇降コード１３の他端を引下げる抵抗が増大したことを操作者が聴覚又は触覚で感知したとき、昇降コード１３の他端を引下げる力を解除する。すると、スクリーン１１及びウエイトバー１８の自重によって、昇降コード１３は図２中、右側へと移動しようとする。すると、挟持位置から許容位置に向うスライダ２４が許容位置の手前で挟持位置に戻ろうとすることになり、図１に示すように、第１溝３２ｃの抵抗増大部３８を移動する係合子３４はその抵抗増大部３８から中間係止部３２ｅに移動し、その係合子３４はその中間係止部３２ｅに係止され、第１溝３２ｃを介してその係合子３４が挟持部３２ａに戻ることが禁止される。これにより、それ以上のスライダ２４のケース２６に対する移動は規制されて、図２に示す状態が維持される。この状態では、歯付きローラ２９ａがアッパ歯部２９ｂから離間するため、もはや歯付きローラ２９ａとアッパ歯部２９ｂとにより昇降コード１３が挟持されておらず、昇降コード１３は解放されており、スクリーン１１及びウエイトバー１８の自重によって、昇降コード１３の一端は下降させられて、スクリーン１１は下降する。
【００２８】
スクリーン１１が下降している状態から、昇降コード１３の他端を操作して少し引下げた後、その力を解除すると、最初に、図２中、昇降コード１３は左側へと移動して、昇降コード１３の移動に追随してスライダ２４が移動して、相対的に係合子３４が中間係止部３２ｅを出発して、図１の許容部３２ｂに達する。次いで、その力を解除した段階で昇降コード１３は右側へと移動して、昇降コード１３の移動に追随してスライダ２４が移動して、相対的に係合子３４が挟持部３２ａへと向い、スライダ２４は、昇降コード１３とともに右端へと移動する。これにより、図３に示すように歯付きローラ２９ａがロア歯部２９ｃによって右端へと向うに従いアッパ歯部２９ｂに接近するように上昇し、歯付きローラ２９ａとアッパ歯部２９ｂとにより昇降コード１３を挟み付ける。このため、昇降コード１３の移動は拘束され、スクリーン１１は停止する。以上の動作、即ち、操作部を若干引下げてその抵抗が増大した段階でその引下げる力を解除することにより、係合子３４を中間係止部３２ｅに係止させて、スクリーン１１を下降させることができる。そして、スクリーン１１を下降させている途中で操作部を引くような操作により上昇動作をさせることもでき、その途中で停止させることもできる。
【００２９】
なお、上述した実施の形態では、係合子が球状である場合を説明したが、この係合子はピン部を有する円柱状物、即ち略独楽形状の物であっても良い。この場合であっても、係合子の中間係止部に対向する位置から許容部までの移動抵抗を増大させることができる。また、この実施の形態では、ケースに案内カム溝を形成し、スライダに凹溝を形成し、案内カム溝と凹溝との間に係合子を収容したが、ケースに凹溝を形成し、スライダに案内カム溝を形成し、凹溝と案内カム溝との間に係合子を収容してもよい。更に、この実施の形態では、コード挟持制御手段の歯付ローラ（挟持部材）をスライダに設け、アッパ歯部（受け部）をケースに設けたが、コード挟持制御手段の歯付ローラ（挟持部材）をケースに設け、アッパ歯部（受け部）をスライダに設けてもよい。
【図面の簡単な説明】
【００３０】
【図１】本発明実施形態のストッパ装置における案内カム溝を図２の矢視Ａの方向から透視した図である。
【図２】そのストッパ装置が昇降コードの移動を許容した状態を示す図４のＢ−Ｂ線断面図である。
【図３】そのストッパ装置が昇降コードを挟持した状態を示す図２に対応する断面図である。
【図４】そのストッパ装置の平面図である。
【図５】そのストッパ装置を備えたローマンシェードの斜視図である。
【図６】スクリーンが途中までたくし上げられた状態を示すローマンシェードの斜視図である。
【図７】従来のストッパ装置における案内カム溝の平面図である。
【符号の説明】
【００３１】
１０  ローマンシェード（ブラインド）
１２  ヘッドレール
１３  昇降コード
２４  スライダ
３２  案内カム溝
３２ａ  挟持部
３２ｂ  許容部
３２ｃ  第１溝
３２ｄ  第２溝
３２ｅ  中間係止部
３４  係合子
３８  抵抗増大部
３８ａ  狭路部
３８ｂ  導入部
【図１】
2010116724.tif 000003
【図２】
2010116724.tif 000004
【図３】
2010116724.tif 000005
【図４】
2010116724.tif 000006
【図５】
2010116724.tif 000007
【図６】
2010116724.tif 000008
【図７】
2010116724.tif 000009